(57)【要約】【課題】スキミング等により偽造された携帯キーによる不正解錠を防止することで、防犯性を高めることができる建物の施解錠システムを提供する。【解決手段】建物１０の玄関部１１には玄関ドア１２が設けられ、玄関ドア１２には電子キー２５から送信されるＩＤコードの認証に基づいて当該玄関ドア１２の施錠及び解錠を行う施解錠装置１３が設けられている。ユーザＵが携帯電話機２８を携帯している場合又は自動車３０に搭乗している場合には、各コントローラ２９，３１より位置情報がホームサーバ２０に送信され、ホームサーバ２０はその位置情報を位置情報記憶部２２に位置ログとして記憶する。ホームサーバ２０は、その位置ログに基づいて正規の電子キー２５の位置を検出し、その検出位置に応じて施解錠装置１３に施解錠信号を出力することで玄関ドア１２を施解錠する。【選択図】図１
2010159608.tif 000002
【特許請求の範囲】
【請求項１】
ユーザにより携帯され固有の識別情報を記憶するとともに該識別情報を送信可能とする携帯キーと、建物の開口部に設けられ該開口部の開閉部材を施錠又は解錠する施解錠手段と、を備え、前記携帯キーから受信した識別情報に基づいて前記施解錠手段を施錠又は解錠する建物の施解錠システムにおいて、
前記携帯キーの位置を検出する位置検出手段と、
前記位置検出手段による携帯キーの検出位置に応じて前記施解錠手段による施解錠の実施を許可又は禁止する施解錠制御手段と、
を備えることを特徴とする建物の施解錠システム。
【請求項２】
前記施解錠制御手段は、前記施解錠手段に対して解錠操作が行われたことに伴い、前記携帯キーの検出位置が前記開閉部材付近であるかどうかを判定し、該携帯キーの検出位置が前記開閉部材付近であれば前記施解錠手段による施解錠の実施を許可し、同検出位置が前記開閉部材付近でなければ前記施解錠手段による施解錠の実施を禁止することを特徴とする請求項１に記載の建物の施解錠システム。
【請求項３】
前記ユーザが所持又は使用することで当該ユーザと共に移動し、該移動先から前記建物への通信を可能とする移動通信手段を備え、
前記位置検出手段は、前記移動通信手段から送信される位置情報に基づいて、前記携帯キーの位置を検出することを特徴とする請求項１又は２に記載の建物の施解錠システム。
【請求項４】
前記移動通信手段と前記携帯キーとが比較的近い位置にある場合にこれら両者間で通信が可能であり、
前記移動通信手段は、前記携帯キーとの間で通信が行われていることを条件に、前記位置情報を送信することを特徴とする請求項３に記載の建物の施解錠システム。
【請求項５】
前記移動通信手段は、前記ユーザにより携帯される携帯機であることを特徴とする請求項３又は４に記載の建物の施開錠システム。
【請求項６】
前記移動通信手段は、車両に設けられた車載装置であることを特徴とする請求項３又は４に記載の建物の施解錠システム。
【請求項７】
前記車載装置は、前記車両が運転状態である場合に前記位置情報を送信し、
前記施解錠制御手段は、前記車載装置からの前記位置情報を建物側にて受信している場合には、前記開閉部材を解錠しないよう前記施解錠手段を制御することを特徴とする請求項６に記載の建物の施解錠システム。
【請求項８】
前記施解錠制御手段により前記施解錠手段の施解錠が禁止される場合に、通報手段を介して前記移動通信手段に対して通報を実施することを特徴とする請求項３乃至７のいずれか一項に記載の建物の施解錠システム。
【請求項９】
所定周期で又は要求により前記移動通信手段から送信される位置情報を時系列的に記憶する位置記憶手段を備え、
前記位置検出手段は、前記位置記憶手段に記憶されている時系列の位置情報に基づいて、前記携帯キーの位置を検出することを特徴とする請求項３乃至８のいずれか一項に記載の建物の施解錠システム。
【請求項１０】
前記携帯キーを複数備え、
前記位置検出手段は、前記複数の携帯キーの各位置を検出し、
前記施解錠制御手段は、前記位置検出手段による前記複数の携帯キーの各検出位置に応じて前記開閉部材を施解錠するよう前記施解錠手段を制御することを特徴とする請求項１乃至９のいずれか一項に記載の建物の施解錠システム。
【発明の詳細な説明】
【技術分野】
【０００１】
本発明は、建物の施解錠システムに関する。
【背景技術】
【０００２】
住宅等の建物では、無線機能を有する携帯キーを用い、その携帯キーを所持した居住者が建物のドアに近づくと、ドアの施解錠が自動で行われるシステムが実用化されている。例えば、特許文献１では、居住者が携帯する携帯キーによる認証に基づいてドアの施解錠が実行されるシステムが開示されている。これによれば、携帯キーを携帯した居住者が建物に入るためにドアに近づくと、携帯キーから発信される識別情報がドア付近に設けられた認証手段により受信され、その識別情報に基づいて正規キーであるか否かの認証が行われる。そして、その認証により正規キーであることが判定されると、ドアが自動で解錠される。これにより、従来の機械式の施解錠装置において行っていたような解錠操作をすることなくドアの解錠を行うことができるため、利便性を高めることができる。また、ドアを鍵穴の無い構造とすることができるため、ピッキング等による不正解錠を防止することができ、その結果防犯性を高めることができる。
【先行技術文献】
【特許文献】
【０００３】
【特許文献１】特開２００３−７４２５６号公報
【発明の概要】
【発明が解決しようとする課題】
【０００４】
ところで、近年、携帯キーの識別情報がスキマーにより不正に読み取られ、同一の識別情報を有する携帯キーが偽造により複製される被害（いわゆるスキミング被害）が増加している。上記特許文献１のシステムにおいて、この偽造携帯キーがドアの解錠に際して用いられると、認証により正規キーであると判断されるためドアが不正に解錠され不審者に建物内への侵入を許すこととなる。そのため、従来のシステムは、防犯性の面で更なる改善の余地があると考えられる。
【０００５】
本発明は、上記事情に鑑みてなされたものであり、スキミング等により偽造された携帯キーによる不正解錠を防止することで、防犯性を高めることができる建物の施解錠システムを提供することを主たる目的とするものである。
【課題を解決するための手段】
【０００６】
上記課題を解決すべく、第１の発明の建物の施解錠システムは、ユーザにより携帯され固有の識別情報を記憶するとともに該識別情報を送信可能とする携帯キーと、建物の開口部に設けられ該開口部の開閉部材を施錠又は解錠する施解錠手段と、を備え、前記携帯キーから受信した識別情報に基づいて前記施解錠手段を施錠又は解錠する建物の施解錠システムにおいて、前記携帯キーの位置を検出する位置検出手段と、前記位置検出手段による携帯キーの検出位置に応じて前記施解錠手段による施解錠の実施を許可又は禁止する施解錠制御手段と、を備えることを特徴とする。
【０００７】
本発明によれば、位置検出手段により検出された携帯キーの検出位置に応じて、建物の開口部を開閉する開閉部材が施解錠手段により施錠又は解錠されるため、ユーザが携帯することでユーザと共に移動する正規の携帯キーが開閉部材の周辺にある場合には開閉部材を解錠したり、開閉部材の周辺にない場合には開閉部材を施錠したりする等、正規の携帯キーの位置に応じて施解錠手段による施解錠の実施を許可又は禁止することができる。したがって、スキミング等により同じ識別情報を有する携帯キーが偽造により複製された場合でもその偽造携帯キーによる開閉部材の解錠を防止することができる。すなわち、スキミング等により偽造された携帯キーによる不正解錠を防止することで、防犯性を高めることができる。
【０００８】
第２の発明の建物の施解錠システムは、第１の発明において、前記施解錠制御手段は、前記施解錠手段に対して解錠操作が行われたことに伴い、前記携帯キーの検出位置が前記開閉部材付近であるかどうかを判定し、該携帯キーの検出位置が前記開閉部材付近であれば前記施解錠手段による施解錠の実施を許可し、同検出位置が前記開閉部材付近でなければ前記施解錠手段による施解錠の実施を禁止することを特徴とする。
【０００９】
本発明によれば、施解錠手段に対して解錠操作が行われたことに伴い、携帯キーの検出位置が開閉部材付近であれば、すなわち正規の携帯キーを所持するユーザが開閉部材付近にいるとみなされる場合には施解錠手段による施解錠の実施が許可され、携帯キーの検出位置が開閉部材付近でなければ、すなわち正規の携帯キーを所持するユーザが開閉部材付近にいないとみなされる場合には施解錠手段による施解錠の実施が禁止される。これにより、正規の携帯キーを携帯するユーザが開閉部材付近にいない場合には開閉部材が解錠されないため、第１の発明の効果を具体的に実現することができる。
【００１０】
第３の発明の建物の施解錠システムは、第１又は第２の発明において、前記ユーザが所持又は使用することで当該ユーザと共に移動し、該移動先から前記建物への通信を可能とする移動通信手段を備え、前記位置検出手段は、前記移動通信手段から送信される位置情報に基づいて、前記携帯キーの位置を検出することを特徴とする。
【００１１】
本発明によれば、ユーザが所持又は使用することでユーザと共に移動する移動通信手段により移動先から建物へ通信をすることができ、その移動通信手段から送信される位置情報に基づいて携帯キーの位置が検出される。これにより、携帯キー自身が移動先から建物への通信を可能とする通信機能を有していなくても携帯キーの位置を検出することができる。
【００１２】
第４の発明の建物の施解錠システムは、第３の発明において、前記移動通信手段と前記携帯キーとが比較的近い位置にある場合にこれら両者間で通信が可能であり、前記移動通信手段は、前記携帯キーとの間で通信が行われていることを条件に、前記位置情報を送信することを特徴とする。
【００１３】
本発明によれば、ユーザが移動通信手段及び携帯キーと共に移動（行動）しており、移動通信手段と携帯キーとが比較的近い位置にある場合にはこれら両者間で通信をすることができる。そして、移動通信手段は、携帯キーとの間で通信が行われていることを条件に、すなわち携帯キーと比較的近い位置にある場合に位置情報を送信する。これにより、ユーザが携帯キー及び移動通信手段とともに移動していることを判定することができるため、携帯キーの位置の検出精度を高めることができる。
【００１４】
第５の発明の建物の施解錠システムは、第３又は第４の発明において、前記移動通信手段は、前記ユーザにより携帯される携帯機であることを特徴とする。
【００１５】
本発明によれば、ユーザにより携帯される携帯機から送信される位置情報に基づいて携帯キーの位置が検出される。ここで、携帯機はユーザにより携帯されるものであり、それ故携帯機はユーザと共に移動する頻度が他の移動通信手段と比べ高い。そのため、位置情報の送信頻度を高めることができ、ひいては携帯キーの位置の検出頻度を高めることができる。
【００１６】
また、移動通信手段を携帯キーと一体化する構成としてもよい。この場合、ユーザにより携帯キーが所持されることにより移動通信手段がユーザと共に移動されるため、携帯キーを所持しさえすれば第３の発明の効果を得ることができる。したがって、ユーザの利便性を高めることができる。また、移動通信手段を携帯キーに内蔵すれば、さらに携帯性を高める効果も期待できる。
【００１７】
第６の発明の建物の施解錠システムは、第３又は第４の発明において、前記移動通信手段は、車両に設けられた車載装置であることを特徴とする。
【００１８】
本発明によれば、ユーザと共に移動する車両に設けられた車載装置から送信される位置情報に基づいて携帯キーの位置が検出される。これにより、ユーザが車両に搭乗している場合には、携帯キーの位置を検出することができる。また、この場合、信頼性の高いＧＰＳ通信機をさらに車両に設ければ、ＧＰＳ通信機から安定して位置情報が送信されるため、携帯キーの位置をより確実に検出することが可能となる。
【００１９】
なお、移動通信手段が車載装置と第５の発明における携帯機との双方であってもよい。そうすれば、ユーザが歩行等している場合には携帯機からの位置情報に基づいて携帯キーの位置を検出することができ、ユーザが車両に搭乗している場合には車載装置からの位置情報に基づいて携帯キーの位置を検出することができる。したがって、携帯キーの位置の検出頻度をより一層高めることができる。
【００２０】
第７の発明の建物の施解錠システムは、第６の発明において、前記車載装置は、前記車両が運転状態である場合に前記位置情報を送信し、前記施解錠制御手段は、前記車載装置からの前記位置情報を建物側にて受信している場合には、前記開閉部材を解錠しないよう前記施解錠手段を制御することを特徴とする。
【００２１】
本発明によれば、車両が運転状態である場合には、車載装置から位置情報が送信される。そして、その位置情報が建物側にて受信されている場合には、開閉部材が解錠されない。したがって、携帯キーを所持するユーザが車両を運転している場合、すなわちユーザが開閉部材の周辺にいない場合には、開閉部材が解錠されないため、不正解錠を防止する効果を高めることができる。
【００２２】
第８の発明の建物の施解錠システムは、第３乃至第７のいずれかの発明において、前記施解錠制御手段により前記施解錠手段の施解錠が禁止される場合に、通報手段を介して前記移動通信手段に対して通報を実施することを特徴とする。
【００２３】
本発明によれば、施解錠制御手段により施解錠手段の施解錠が禁止される場合に、すなわち不正に解錠操作が行われた場合に、通報手段を介して移動通信手段へ通報が行われる。これにより、ユーザは外出中であっても不正に解錠操作が行われたことを知ることができるため、至急帰宅して不審者に警告を行う等、建物内への侵入を未然に防止する措置をとることが可能となる。
【００２４】
また、移動通信手段を複数備えている場合には、施解錠制御手段により各移動通信手段のうちいずれから位置情報が送信されているのかを判別するとともに、その判別した移動通信手段へ通報を実施するよう制御するのが望ましい。そうすれば、ユーザと共に移動する移動通信手段へ不正解錠があった旨の通報が行われるため、移動通信手段を複数備えるシステムにおいてもユーザは不正解錠が行われたことを知ることができる。
【００２５】
第９の発明の建物の施解錠システムは、第３乃至第８のいずれかの発明において、所定周期で又は要求（例えば建物側から又はユーザからの要求）により前記移動通信手段から送信される位置情報を時系列的に記憶する位置記憶手段を備え、前記位置検出手段は、前記位置記憶手段に記憶されている時系列の位置情報に基づいて、前記携帯キーの位置を検出することを特徴とする。
【００２６】
本発明によれば、所定周期で又は要求により移動通信手段から送信される位置情報が位置記憶手段により時系列的に記憶される。そして、位置記憶手段に記憶される時系列の位置情報に基づいて携帯キーの位置が検出されるため、ユーザの移動履歴を把握することができる。したがって、ユーザが移動通信手段と共に移動しておらず移動通信手段から現在の位置情報が取得されない場合でも、過去の位置情報に基づいて携帯キーの位置を検出することができる。例えば、所定時間（例えば数分）前の位置情報が位置記憶手段に記憶されている場合には、その位置情報に基づいてユーザが当該所定時間の間に移動する可能性のあるエリアを推定し、その推定したエリアを携帯キーの検出位置とみなす等することができる。
【００２７】
第１０の発明の建物の施解錠システムは、第１乃至第９のいずれかの発明において、前記携帯キーを複数備え、前記位置検出手段は、前記複数の携帯キーの各位置を検出し、前記施解錠制御手段は、前記位置検出手段による前記複数の携帯キーの各検出位置に応じて前記開閉部材を施解錠するよう前記施解錠手段を制御することを特徴とする。
【００２８】
本発明によれば、位置検出手段により複数の携帯キーの各位置が検出され、それら検出された各検出位置に応じて開閉部材が施解錠される。これにより、携帯キーを正規に複製し、家族の者それぞれに複製した携帯キーを所持させ使用させる場合でも、これら各携帯キーの位置に応じて開閉部材を施解錠することができる。そのため、全ての携帯キーが開閉部材周辺の所定位置にない場合、すなわち家族の者が全て外出している場合には開閉部材を施錠したり、各携帯キーのうち少なくともひとつが開閉部材周辺の所定位置にある場合、すなわち家族の者のうち少なくとも一人が開閉部材周辺にいる場合には開閉部材を解錠したりすること等が可能となる。したがって、携帯キーを家族の各人が所持して使用する場合においても第１の発明の効果を実現させることができる。
【図面の簡単な説明】
【００２９】
【図１】施解錠システムを示す全体構成図。
【図２】施解錠制御処理を示すフローチャート。
【発明を実施するための形態】
【００３０】
以下に、本発明を具体化した一実施の形態について図面を参照しつつ説明する。なお、図１は本実施形態における施解錠システムを示す全体構成図である。
【００３１】
図１に示すように、建物１０には、開口部としての玄関部１１が設けられており、この玄関部１１を通じて建物１０への出入りが可能となっている。玄関部１１には、開閉部材としての玄関ドア１２が設けられている。玄関ドア１２は、例えば回動式のドアであり、この玄関ドア１２が回動されることにより玄関部１１が開閉される。玄関ドア１２には、施解錠手段としての施解錠装置１３が設けられている。施解錠装置１３は、錠前を電気的に施解錠することにより玄関ドア１２の施錠及び解錠（ロック及びアンロック）を行う装置である。
【００３２】
建物１０には、本施解錠システムにおいて施解錠制御を行うためのホームサーバ２０が設けられている。ホームサーバ２０は、ＣＰＵ等を有する周知のマイクロコンピュータを備えて構成されている。ホームサーバ２０は、識別情報としてのＩＤコード情報を記憶するＩＤコード記憶部２１を有している。また、ホームサーバ２０の入力側には、入力ボタンや操作スイッチ等からなる操作部２４が接続されており、この操作部２４に対するユーザの操作により本施解錠システムの動作開始及びその解除を行うことが可能となっている。
【００３３】
建物１０には、建物側通信装置１４が設けられている。建物側通信装置１４は、ユーザＵが所持する電子キー２５との間で無線通信を行うものであり、例えば玄関ドア１２に設けられている。ホームサーバ２０は、この建物側通信装置１４と電気的に接続されており、建物側通信装置１４を介して電子キー２５との間で通信可能となっている。
【００３４】
電子キー２５は、ユーザＵが通常持ち歩くことができるサイズの携帯装置である。電子キー２５は、周知のマイクロコンピュータを有してなるキーコントローラ２６を内蔵している。キーコントローラ２６は、建物側通信装置１４等の外部機器との無線通信を可能とする通信機能と、識別情報としてのＩＤコードを記憶する記憶機能とを有している。キーコントローラ２６には、当該電子キー２５固有のＩＤコードがあらかじめ記憶されている。
【００３５】
なお、本実施形態では電子キー２５は、基本的に自動車３０の付属キーであり、車両ドアロックの施解錠操作機能やエンジンの始動操作機能等を有するものである。但し、電子キー２５の形態は任意であり、キー型やカード型としたりする他、リストバンド式として人体に装着できるものとしたりすることも可能である。
【００３６】
ホームサーバ２０は、建物側通信装置１４を介して所定周期で玄関ドア１２周辺の所定エリアにリクエスト信号を送信する。ここで、電子キー２５を所持したユーザＵがそのエリアに入り、リクエスト信号がキーコントローラ２６により受信されると、キーコントローラ２６がリクエスト信号の応答としてＩＤコード信号を送信する。そして、建物側通信装置１４がこのＩＤコード信号を受信するとＩＤコード信号がホームサーバ２０に入力される。
【００３７】
ホームサーバ２０のＩＤコード記憶部２１には、識別情報としてのＩＤコード情報があらかじめ記憶されている。ＩＤコード記憶部２１に記憶されているＩＤコード情報は、電子キー２５に記憶されているＩＤコードに対応したものである。ホームサーバ２０は、キーコントローラ２６からＩＤコード信号が入力されると、ＩＤコードの認証を行う。具体的には、ホームサーバ２０は、入力されたＩＤコード信号がＩＤコード記憶部２１に記憶されているＩＤコードと一致するか否かを判定する。
【００３８】
ホームサーバ２０の出力側には、施解錠装置１３が接続されている。ホームサーバ２０は、上記ＩＤ認証の結果に基づいて、施解錠装置１３に施解錠信号を出力し、玄関ドア１２の施解錠制御を実施する。
【００３９】
ところで、本実施形態の施解錠システムは、施解錠装置１３の施解錠制御がさらに電子キー２５の位置に応じて実施される点に特徴を有する。そこで、以下、本施解錠システムの特徴的な構成について説明する。
【００４０】
本実施形態では、電子キー２５のキーコントローラ２６が建物側通信装置１４の他、ユーザＵが携帯する携帯電話機２８やユーザＵが搭乗する自動車３０との間で無線通信が可能とされている。詳細には、キーコントローラ２６は、その通信範囲が例えば半径数ｍ（例えば３ｍ）程度のエリアに設定されており、そのエリア内において携帯電話機２８や自動車３０等と通信可能とされている。したがって、キーコントローラ２６は、携帯電話機２８との間ではユーザＵが電子キー２５と携帯電話機２８との双方を所持している場合に通信可能とされ、自動車３０との間では電子キー２５を所持するユーザＵが自動車３０に搭乗している場合に通信可能とされる。
【００４１】
携帯電話機２８は、周知のマイクロコンピュータを有してなる携帯電話機コントローラ２９を備えている。携帯電話機コントローラ２９は、キーコントローラ２６や外部施設であるコントロールセンタ４１との間で無線通信が可能とされている。具体的には、携帯電話機コントローラ２９は、キーコントローラ２６との間ではユーザＵが電子キー２５と携帯電話機２８との双方を所持している場合に通信可能とされている。一方、自動車３０は、周知のマイクロコンピュータを有してなる車両側コントローラ３１を備えている。車両側コントローラ３１は、携帯電話機コントローラ２９と同様、キーコントローラ２６やコントロールセンタ４１との間で無線通信が可能とされている。具体的には、車両側コントローラ３１は、キーコントローラ２６との間では電子キー２５を所持するユーザＵが自動車３０に搭乗している場合に通信可能とされている。なおここで、携帯電話機２８（携帯電話機コントローラ２９）及び自動車３０（車両側コントローラ３１）は、移動通信手段に相当する。
【００４２】
携帯電話機２８及び自動車３０は、それぞれ位置情報取得手段としてのＧＰＳ端末３３，３４を備えている。ＧＰＳ端末３３，３４は、ＧＰＳ衛星から発信される電波を受信することで自身の位置情報を生成する構成となっている。携帯電話機２８及び自動車３０の位置情報は、必要に応じてそれぞれ各コントローラ２９，３１からコントロールセンタ４１に送信される。建物１０側のホームサーバ２０は、インターネット４２を介してコントロールセンタ４１に接続されており、それ故コントロールセンタ４１から携帯電話機２８及び自動車３０の位置情報がインターネット４２を介してホームサーバ２０に送信される。
【００４３】
携帯電話機コントローラ２９は、電子キー２５のキーコントローラ２６に対して所定の周期（例えば１分間隔）でリクエスト信号を送信する。ここで、ユーザＵが電子キー２５と携帯電話機２８との双方を所持している場合には、キーコントローラ２６によりそのリクエスト信号が受信され、その応答としてキーコントローラ２６からユーザ固有情報が携帯電話機コントローラ２９に送信される。そして、携帯電話機コントローラ２９によりそのユーザ固有情報が受信されると、携帯電話機コントローラ２９から当該ユーザ固有情報と携帯電話機２８の位置情報とがコントロールセンタ４１に送信され、ひいてはインターネット４２を介してホームサーバ２０に送信される。これにより、ユーザＵが電子キー２５と携帯電話機２８との双方を所持している場合には、携帯電話機２８より当該携帯電話機２８の位置情報が逐次ホームサーバ２０に送信され、換言すれば携帯電話機２８と共に移動する電子キー２５の位置情報が逐次ホームサーバ２０に送信される。
【００４４】
一方、自動車３０において、車両側コントローラ３１は、電子キー２５のキーコントローラ２６に対して所定の周期（例えば１分間隔）でリクエスト信号を送信する。具体的には、自動車３０は、イモビライザシステムを有しており、エンジン始動に際して電子キー２５と自動車３０との間でイモビ認証が行われるようになっている。そして、車両側コントローラ３１は、イモビ認証の結果、正規の手順でエンジンが始動された状態において、電子キー２５のキーコントローラ２６に対してリクエスト信号を送信する。ここで、電子キー２５を所持するユーザＵが自動車３０に搭乗している場合には、キーコントローラ２６により上記リクエスト信号が受信され、その応答としてキーコントローラ２６からユーザ固有情報が車両側コントローラ３１に送信される。そして、車両側コントローラ３１によりそのユーザ固有情報が受信されると、車両側コントローラ３１から当該ユーザ固有情報と自動車３０の位置情報とがコントロールセンタ４１に送信され、ひいてはインターネット４２を介してホームサーバ２０に送信される。これにより、電子キー２５を所持するユーザＵが自動車３０に搭乗している場合には、車両側コントローラ３１より自動車３０の位置情報が逐次ホームサーバ２０に送信され、換言すれば自動車３０と共に移動する電子キー２５の位置情報が逐次ホームサーバ２０に送信される。なお、車両側コントローラ３１は、エンジンが停止されるとリクエスト信号の送信を終了する。したがって、エンジンが停止されると、車両側コントローラ３１からホームサーバ２０へのユーザ固有情報及び自動車３０の位置情報の送信が終了する。
【００４５】
ホームサーバ２０は、携帯電話機２８及び自動車３０の位置情報を記憶する位置情報記憶部２２を有している。携帯電話機コントローラ２９又は車両側コントローラ３１から送信された携帯電話機２８又は自動車３０の位置情報及び電子キー２５のユーザ固有情報がホームサーバ２０により受信されると、ホームサーバ２０はその都度携帯電話機２８又は自動車３０の位置情報を位置情報記憶部２２に記憶する。位置情報記憶部２２は、携帯電話機２８又は自動車３０の位置情報をそれぞれ個別に位置ログとして記憶するものであり、具体的には各コントローラ２９，３１からの都度の位置情報をそれぞれ時刻と対応づけて記憶するものである。したがって、位置情報記憶部２２には、携帯電話機２８及び自動車３０の各位置がそれぞれ一連の位置ログとして時系列的に記憶される。これにより、携帯電話機２８及び自動車３０の移動履歴を把握することができるため、結果としてこれらと共に移動する電子キー２５の移動履歴（電子キー２５がいつどこにあったか）を把握することができる。なお、位置情報記憶部２２に記憶される位置ログは最新の所定期間分（例えば３日分）のみであり、所定期間が経過すると上書きされ消去される。
【００４６】
次に、ホームサーバ２０によって実行される施解錠制御処理について図２に示すフローチャートに基づいて説明する。なお、本処理は、操作部２４に対する制御開始操作をトリガとしてホームサーバ２０により実行され、制御終了の操作がされるまで所定の周期で繰り返し実行される。
【００４７】
まずステップＳ１１において、建物側通信装置１４より玄関ドア１２周辺の所定エリアにリクエスト信号を送信する。
【００４８】
続くステップＳ１２では、リクエスト信号の応答として電子キー２５より送信されるＩＤコード信号を建物側通信装置１４を介して受信したか否かを判定する。ＩＤコード信号を受信していない場合には、そのまま本処理を終了し、ＩＤコード信号を受信している場合には、ステップＳ１３に進む。
【００４９】
ステップＳ１３では、電子キー２５から受信したＩＤコード信号があらかじめＩＤコード記憶部２１に記憶されているＩＤコードと一致しているか否かを判定する。電子キー２５からのＩＤコード信号があらかじめ記憶されているＩＤコードと一致している場合には、ステップＳ１４に進み、一致していない場合には後述するステップＳ２０に進む。
【００５０】
ステップＳ１４では、位置情報記憶部２２に記憶されている携帯電話機２８及び自動車３０の最新の位置ログを読み出す。具体的には、位置情報記憶部２２に時系列で記憶されている携帯電話機２８及び自動車３０の各時刻の位置ログのうちそれぞれ最新時刻の位置ログを読み出す。
【００５１】
ステップＳ１５では、携帯電話機２８又は自動車３０から現在位置に関する位置情報（以下、現在位置情報という）が取得されているか否かを判定する。具体的には、ステップＳ１４において取得した携帯電話機２８及び自動車３０の最新の位置ログに基づいて最新の位置ログを取得した時刻を割り出し、その割り出した時刻と現在時刻との時間差が所定時間を超えているか否かを判定する。ここで、所定時間は、例えば１分に設定されている。なお、所定時間は、各コントローラから定期的に送信される位置情報の送信周期と同じ時間に設定してもよい。携帯電話機２８又は自動車３０から現在位置情報が取得されている場合、詳細には正規の電子キー２５を所持するユーザＵが今現在携帯電話機２８又は自動車３０と共に移動しており、その携帯電話機２８又は自動車３０から現在位置情報が取得されている場合には、ステップＳ１６に進み、その現在位置情報（最新の位置ログ）に基づいて正規の電子キー２５の現在位置を検出する。
【００５２】
ステップＳ１７では、正規の電子キー２５が今現在玄関ドア１２周辺の所定エリアにあるか否かを判定する。正規の電子キー２５が玄関ドア１２周辺の所定エリアにある場合、すなわち正規の電子キー２５を所持するユーザＵが玄関ドア１２の前にいるとみなされる場合には、ステップＳ２２に進み、施解錠装置１３に解錠信号を出力する。これにより、玄関ドア１２が解錠されるため、ユーザＵは玄関ドア１２を開いて玄関部１１から建物１０内に入ることができる。その後、本処理を終了する。
【００５３】
一方、正規の電子キー２５が玄関ドア１２周辺の所定エリアにない場合、すなわち正規の電子キー２５を所持するユーザＵが玄関ドア１２の前にいないとみなされる場合には、ステップＳ２０に進み、施解錠装置１３に施錠信号を出力する。これにより、ＩＤ認証の結果、認証ＯＫと判定されても（ステップＳ１３におけるＹＥＳ判定）玄関ドア１２が施錠されるため、スキミング等により同じ識別情報を有する電子キーが偽造により複製された場合でもその偽造電子キーによる玄関ドア１２の解錠を防止することができる。なお、このときすでに施解錠装置１３が施錠状態にある場合には、そのまま施錠状態を継続する。
【００５４】
続くステップＳ２１では、異常事態が発生したことをユーザＵに通知する。具体的には、玄関ドア１２が不正に解錠操作されている旨を通知する。この場合、ステップＳ１４において取得した携帯電話機２８及び自動車３０の位置ログに基づいて、携帯電話機コントローラ２９及び車両側コントローラ３１のうちいずれから位置情報が送信されているのかを、すなわち携帯電話機２８及び自動車３０のうちいずれを通じてユーザＵと通信可能であるかを判断し、その結果通信可能と判断した携帯電話機２８又は自動車３０に対しインターネット４２及びコントロールセンタ４１を介して異常事態発生の通知を送信する。これにより、携帯電話機２８（携帯電話機コントローラ２９）に上記通知が送信された場合には、携帯電話機２８より「不正な解錠操作が行われました」等のアナウンスが行われたり、携帯電話機２８が振動したりする。一方、自動車３０（車両側コントローラ３１）に上記通知が送信された場合には、自動車３０に搭載されたスピーカ（図示略）より「不正な解錠操作が行われました」等のアナウンスが行われる。したがって、ユーザＵは外出中であっても玄関ドア１２が不正に解錠操作されていることを知ることができるため、至急帰宅して不審者に警告を行う等、建物１０内への侵入を未然に防止する措置をとることが可能となる。その後、本処理を終了する。
【００５５】
前述のステップＳ１５において、携帯電話機２８又は自動車３０から現在位置情報が取得されていない場合、詳細には正規の電子キー２５を所持するユーザＵが今現在携帯電話機２８又は自動車３０と共に移動しておらず、それ故携帯電話機２８又は自動車３０から現在位置情報が取得されていない場合には、ステップＳ１８に進む。ステップＳ１８では、ステップＳ１４において取得した自動車３０の最新の位置ログに基づいて今現在自動車３０が所定の駐車場に駐車されているか否かを判定する。自動車３０が所定の駐車場に駐車されている場合には、ステップＳ１９に進む。
【００５６】
ステップＳ１９では、自動車３０が駐車場に駐車されてから所定時間が経過していないか否かを判定する。具体的には、ステップＳ１４において取得した自動車３０の最新の位置ログに基づいて自動車３０が駐車場に駐車された時刻を割り出し、その割り出した駐車時刻と現時刻とに基づいて自動車３０の駐車時から所定時間が経過していないか否かの判定をする。ここで、所定時間は、例えば駐車場から建物１０の玄関ドア１２まで徒歩で移動するのに要する時間に数分程度の時間を付加した時間に設定されている。自動車３０が駐車場に駐車されてから所定時間が経過していない場合には、ステップＳ２２に進み、施解錠装置１３に解錠信号を出力する。これにより、玄関ドア１２が解錠されるため、ユーザＵは玄関ドア１２を開いて玄関部１１から建物１０内に入ることができる。したがって、ユーザＵは自動車３０により帰宅する場合には、携帯電話機２８を所持し忘れても、建物１０内に入ることができる。その後、本処理を終了する。
【００５７】
一方、ステップＳ１８，Ｓ１９のうちいずれかにおいて否定判定された場合には、ステップＳ２０に進み、施解錠装置１３に施錠信号を出力する。すなわち、自動車３０が所定の駐車場に駐車されていない場合（ステップＳ１８）又は自動車３０が所定の駐車場に駐車されていてもすでに駐車時点から所定の時間が経過している場合（ステップＳ１９）には、玄関ドア１２が施錠される。なお、このときすでに施解錠装置１３が施錠状態にある場合には、そのまま施錠状態を継続する。
【００５８】
以上、詳述した本実施形態の構成によれば、以下の優れた効果が得られる。
【００５９】
位置情報記憶部２２に記憶されている携帯電話機２８又は自動車３０の位置ログに基づいて、ユーザＵが所持する正規の電子キー２５の位置を検出し、その検出位置に応じて玄関ドア１２を施解錠する構成とした。具体的には、正規の電子キー２５が玄関ドア１２周辺の所定エリアにある場合には玄関ドア１２を解錠し、正規の電子キー２５が玄関ドア１２周辺の所定エリアにない場合には自動車３０の駐車時から所定時間が経過していない場合を除き玄関ドア１２を施錠する等、正規の電子キー２５の位置に応じて玄関ドア１２を施解錠するようにした。これにより、スキミング等により同じＩＤコードを有する電子キーが偽造により複製された場合でもその偽造電子キーによる玄関ドア１２の解錠を防止することができる。すなわち、スキミング等により偽造された電子キーによる不正解錠を防止することで、防犯性を高めることができる。
【００６０】
施解錠装置１３に対して解錠操作が行われた時に、電子キー２５の検出位置が玄関ドア１２周辺であれば玄関ドア１２を解錠し、玄関ドア１２周辺でなければ玄関ドア１２を施錠するようにした。これにより、正規の電子キー２５を携帯するユーザＵが玄関ドア１２周辺にいない場合には玄関ドア１２が解錠されないため、上記の効果を具体的に実現することができる。
【００６１】
ユーザＵと共に移動する携帯電話機２８（詳細には携帯電話機コントローラ２９）又は自動車３０（車両側コントローラ３１）から送信される位置情報（位置ログ）に基づいて電子キー２５の位置を検出する構成とした。これにより、電子キー２５自身が移動先から建物１０側への通信を可能とする通信機能を有していなくても電子キー２５の位置を検出することができる。
【００６２】
ユーザＵが携帯電話機２８を所持している場合又は自動車３０に搭乗している場合に、各コントローラ２９，３１と電子キー２５との間でリクエスト信号の送受信が行われていることを条件に、携帯電話機２８又は自動車３０から位置情報と電子キー２５のユーザ固有情報とをホームサーバ２０へ送信するようにした。これにより、電子キー２５が携帯電話機２８又は自動車３０と共に移動していることを判定することができるため、電子キー２５の位置の検出精度を高めることができる。
【００６３】
ユーザＵにより携帯される携帯電話機２８から送信される位置情報に基づいて電子キー２５の位置を検出するようにした。ここで、携帯電話機２８はユーザＵにより日常的に使用されるものであり、ユーザＵにより携帯される頻度が比較的高いため、位置情報の送信頻度を高めることができ、ひいては電子キー２５の位置の検出頻度を高めることができる。
【００６４】
ユーザＵが搭乗している自動車３０（車両側コントローラ３１）から送信される位置情報に基づいて電子キー２５の位置を検出するようにした。これにより、ユーザＵが携帯電話機２８を所持し忘れた場合でも、ユーザＵが自動車３０に搭乗している間は、電子キー２５の位置を検出することができる。また、自動車３０の位置情報を信頼性の高いＧＰＳ端末３４により生成する構成としたため、自動車３０の位置情報が安定してホームサーバ２０に送信される。これにより、電子キー２５の位置をより確実に検出することが可能となる。
【００６５】
また、移動通信手段として携帯電話機２８と自動車３０との双方を用いる構成としたため、ユーザＵが歩行等している場合には携帯電話機２８からの位置情報に基づいて電子キー２５の位置を検出することができ、ユーザＵが自動車３０に搭乗している場合には自動車３０からの位置情報に基づいて電子キー２５の位置を検出することができる。したがって、電子キー２５の位置の検出頻度をより一層高めることができる。
【００６６】
位置情報記憶部２２に記憶されている携帯電話機２８及び自動車３０の最新の位置ログに基づいて最新の位置ログを取得した時刻を割り出し、その割り出した時刻と現在時刻との時間差が所定時間を超えているか否かを判定することとした。これにより、前記時間差が所定時間を超えていない場合には、電子キー２５を所持するユーザＵが今現在携帯電話機２８又は自動車３０と共に移動していることを判別することができるため、その最新の位置ログに基づいて電子キー２５の現在位置を検出することができる。
【００６７】
本発明は上記実施形態に限らず、例えば次のように実施されてもよい。
【００６８】
（１）上記実施形態では、電子キー２５とは別体である携帯電話機２８（携帯電話機コントローラ２９）及び自動車３０（車両側コントローラ３１）を移動通信手段として用いたが、移動通信手段を電子キー２５と一体化する構成としてもよい。そうすれば、ユーザＵは電子キー２５を所持することで移動通信手段をユーザＵと共に移動させることができる。したがって、ユーザＵが電子キー２５を所持しさえすれば電子キー２５の位置を検出することができるため、ユーザの利便性を高めることができる。なお、移動通信手段を電子キー２５に内蔵する構成とすれば、さらに携帯性を高めることができる。
【００６９】
（２）上記実施形態では、携帯電話機２８及び自動車３０を移動通信手段として用いたが、携帯電話機２８及び自動車３０のうちいずれか一方のみを移動通信手段として用いるようにしてもよい。また、移動通信手段として携帯電話機２８及び自動車３０以外のものを用いてもよい。例えば、腕時計やネックレス、スマートキー等、携帯電話機２８以外の携行品に通信機能を付加したものを移動通信手段として用いてもよいし、自転車やバイク等、自動車３０以外の移動体に通信装置を搭載したものを移動通信手段として用いてもよい。
【００７０】
（３）施解錠システムは、複数の電子キー２５を備える構成としてもよい。すなわち、ユーザＵが所持する電子キー２５（マスターキー）を複製し、その複製した電子キー２５（いわゆる合鍵）を家族の者それぞれに所持させ玄関ドア１２の施解錠に使用させる構成としてもよい。この場合、各電子キー２５とともにそれぞれ移動する携帯電話機２８又は自動車３０から各々位置情報がホームサーバ２０に送信されるようにする。そして、ホームサーバ２０は、それら各携帯電話機２８又は各自動車３０の位置情報を受信すると、都度それらの位置情報を位置ログとして位置情報記憶部２２に記憶する。これにより、各携帯電話機２８又は各自動車３０の位置を把握することができ、ひいては各携帯電話機２８又は各自動車３０とともに移動する各電子キー２５の位置を把握することができる。
【００７１】
また、ホームサーバ２０は、位置情報記憶部２２に記憶されている各携帯電話機２８又は各自動車３０の位置ログに基づいて各電子キー２５の位置を検出する。そして、ホームサーバ２０は、各電子キー２５の検出位置に応じて施解錠装置１３に施錠又は解錠信号を出力し、玄関ドア１２の施解錠制御を行う。具体的には、すべての電子キー２５が玄関ドア１２周辺の所定エリアにない場合、すなわち電子キー２５を所持する家族の者全てが玄関ドア１２周辺にいない場合には、玄関ドア１２を施錠したり、各電子キー２５のうち少なくとも１つが当該所定エリアにある場合、すなわち電子キー２５を所持する家族の者のうち少なくとも一人が玄関ドア１２周辺にいる場合には玄関ドア１２を解錠したりする。したがって、電子キー２５を正規に複製し、その複製した電子キー２５を家族の者それぞれに所持させ使用させる場合でも、正規に複製した電子キー２５とスキミング等により複製された偽造電子キーとを判別することができ、もって偽造電子キーによる玄関ドア１２の不正解錠を防止することができる。
【００７２】
（４）上記実施形態の施解錠システムでは、玄関部１１に設けられた玄関ドア１２を施解錠するようにしたが、勝手口のドアや掃き出し窓等、玄関部１１以外に設けられる開閉部材を施解錠するようにしてもよい。
【００７３】
（５）ユーザＵが自動車３０に搭乗している場合に車両側コントローラ３１より送信される自動車３０の位置情報及び電子キー２５のユーザ固有情報をホームサーバ２０が受信している場合には、ホームサーバ２０から施解錠装置１３に施錠信号を出力するようにしてもよい。これにより、ユーザＵが自動車３０に搭乗している場合、すなわちユーザＵが玄関ドア１２周辺にいない場合には、玄関ドア１２が解錠されないため、不正解錠を防止する効果を高めることができる。
【００７４】
（６）不正解錠操作が行われた際に、異常事態発生の通知（ステップＳ２１（図２））を必ずしも行う必要はない。
【００７５】
（７）上記実施形態では、電子キー２５による解錠操作の際に当該電子キー２５から建物側通信装置１４に送信されるＩＤコード信号をホームサーバ２０から建物側通信装置１４を介して送信されるリクエスト信号の応答として送信されるようにしたが、電子キー２５のＩＤコード信号は必ずしもリクエスト信号の応答として送信されるようにする必要はない。例えば、電子キー２５に送信ボタンを設け、その送信ボタンを押すとＩＤコード信号が建物側通信装置１４に送信されるようにしてもよい。
【００７６】
（８）位置情報記憶部２２に記憶されている携帯電話機２８又は自動車３０の過去の位置情報に基づいて電子キー２５の位置を検出するようにしてもよい。そうすれば、ユーザＵが携帯電話機２８又は自動車３０と共に移動しておらず携帯電話機２８又は自動車３０から現在の位置情報が取得されていない場合でも、携帯電話機２８又は自動車３０の過去の位置情報に基づいて電子キー２５の位置を検出することができる。具体的には、例えば所定時間（例えば数分）前の位置情報が位置情報記憶部２２に位置ログとして記憶されている場合には、その位置ログに基づいてユーザＵが当該所定時間の間に移動する可能性のあるエリアを推定し、その推定したエリアを電子キー２５の検出位置とみなす等することができる。
【符号の説明】
【００７７】
１０…建物、１１…開口部としての玄関部、１２…開閉部材としての玄関ドア、１３…施解錠手段としての施解錠装置、２０…施解錠制御手段、位置検出手段及び通報手段としてのホームサーバ、２２…位置記憶手段としての位置情報記憶部、２５…携帯キーとしての電子キー、２８…移動通信手段及び携帯機としての携帯電話機、３０…車両としての自動車、３１…移動通信手段及び車載装置としての車両側コントローラ。
【図１】
2010159608.tif 000003
【図２】
2010159608.tif 000004